【手続補正書】
【提出日】平成15年12月10日(2003.12.10)
【手続補正１】
【補正対象書類名】明細書
【補正対象項目名】全文
【補正方法】変更
【補正の内容】
【発明の名称】血液殺菌方法並びに装置
【特許請求の範囲】
【請求項１】ＨＩＶ、ＨＢＶ、ＨＣＶ等のレトロウィルスやその他の雑菌に感染している患者より血液を体外へ導出し、これに外部よりＹＡＧレーザービームを反射ミラーを介して照射した後で再び患者に還流させる工程を含ましめ、これを複数回繰り返すことを特徴とする、血液殺菌方法。
【請求項２】請求項１の治療を行う際に、患者の体温を半眠状態になる温度にまで降下させることを特徴とする、請求項１に記載の血液殺菌方法。
【請求項３】内部に収容した患者の体温を降下させる手段を備えた低温ルームと、患者の全血液を体外に導出させてまた体内に戻すことによって循環させる血液循環システムと、この血液循環システムの中に組み込まれた患者の全血液にレーザービームを外部より照射させるレーザービーム照射手段とを含むことを特徴とする、血液殺菌装置。
【請求項４】レーザービームを患者の全血液に照射するに当り、前記レーザービームを扇型に拡散させた後、反射ミラーを用いて反射させ、この反射ビームを光透過性材質のパイプ内を流れる血液に照射させることを特徴とする、請求項３に記載の血液殺菌装置。
【請求項５】レーザービームとしてＹＡＧレーザービームを用いることを特徴とする、請求項３又は４に記載の血液殺菌装置。
【発明の詳細な説明】
【０００１】
【発明の属する技術分野】
この発明は、患者の体内を流れている血液中に含まれているＨＩＶ（エイズウィルス）、ＨＡＶ（Ａ型肝炎ウィルス）、ＨＢＶ（Ｂ型肝炎ウィルス）、ＨＣＶ（Ｃ型肝炎ウィルス）等のレトロウィルス、及びその他の雑菌をレーザービームを用いて殺菌処理する血液殺菌方法並びに装置に関する。
【０００２】
【従来の技術】
従来、ＨＩＶ、ＨＡＶ、ＨＢＶ、ＨＣＶ等のレトロウィルスに感染している患者に対しては薬物を投与したり、血液を該血液成分を破壊しない温度に加熱したりして治療に当っている。しかしながら、極めて有効とされる薬物はない上に、薬物は副作用の問題がついて回るという問題点があり、さらに、血液の組織を壊さない程度の温度に加熱するだけではレトロウィルスは死滅しないことから、これらのレトロウィルスを殺菌する有効かつ副作用のない殺菌方法乃至装置は今だ見つかってない。
【０００３】
【発明が解決しようとする課題】
しかるに、この発明者は種々の実験を重ねるうちに、血液中にフリーな状態、或は白血球の表面上に非共有結合状態で存在する、ＨＩＶ、ＨＡＶ、ＨＢＶ、及びＨＣＶ等のレトロウィルスにＹＡＧレーザービームを照射すると、レトロウィルス等が死滅するという知見を得、この発明を完成するに至った。
【０００４】
この発明の目的は、ＨＩＶ、ＨＢＶ、ＨＣＶ等のレトロウィルスやその他の雑菌に感染している血液に対し、薬物による副作用の生じさせる心配のない有効な殺菌方法及び装置を提供せんとするにある。
【０００５】
【課題を解決するための手段】
上述した目的を達成するためにこの発明は、ＨＩＶ、ＨＢＶ、ＨＣＶ等のレトロウィルスやその他の雑菌に感染している患者より血液を体外へ導出し、これに外部よりＹＡＧレーザービームを反射ミラーを介して照射した後で再び患者の体内に還流させる工程を含ましめ、これを複数回繰り返すことによって、血液中に含まれているレトロウィルスや雑菌を死滅させるものである。
【０００６】
その際にこの発明は、患者の体温を患者が半眠状態になる温度に下げることによって、血液の流れを遅くすることによって、レーザービームの照射効果を増大させるものである。
【０００７】
この発明はまた、内部に収容した患者の体温を降下させる手段を備えた低温ルームと、患者の全血液を体外に導出させてまた体内に戻すことによって循環させる血液循環システムと、この血液循環システムの中に組み込まれた患者の全血液にレーザービームを外部より照射させるレーザービーム照射手段とを含んで装置を構成するものである。
【０００８】
上記いずれの場合にもこの発明は、レーザービームを患者の全血液に照射するに当り、前記レーザービームを扇型に拡散させた後、反射ミラーを用いて反射させ、この反射ビームを光透過性材質のパイプ内を流れる血液に照射させることによって、パイプ内を流れる全血液に均一にレーザービームが照射されるものであり、さらにレーザービームとしてＹＡＧレーザービームを用いるものである。
【０００９】
【発明の実施の形態】
図面はこの発明の一実施の形態を示し、図１乃至図３において、指示記号１で示されたものは、本体ケース部１ａと、この本体ケース部１ａの上部にヒンジ装置２を介して開閉可能に取り付けられたフード部１ｂとから成る気密構造の低温ルームであり、仕切板３ａを介して内部にベッド３を収装してある。尚、指示記号４で示されたものは取手である。本体ケース部１ａの上縁とフード部１ｂの下縁のいずれか一方或は双方には、図示してないパッキングが取り付けられており、フード部１ｂを閉じた際の自重によって、両者の当接部はシールされる。尚、シールが充分でない場合には、クランプ等の締め付け手段を用いることができる。低温ルーム１の素材に限定はないが、強化プラスチック等の合成樹脂製のものが望ましいであろう。
【００１０】
本体ケース部１ａ内には、図１に示したように、左側から例えばバキュームポンプ５、低温ポンプ６、血戻し用ポンプ７、血液殺菌ボックス８、フィルター９、１００Ｖ電源１０、２００Ｖ電源１１、レーザービーム発振器１２、及びこのレーザービーム発振器の冷却装置１３、及びコントロール盤１４が設けられている。尚、各機器の配列及び配置位置については限定はなく、あくまで一例である。これ以外にも、図示してないが、患者の体温、心拍数、血圧、脳波等の身体情報を収集して管理する身体情報端末及びこれらを統括するＣＰＵが設置されている。尚、１００Ｖ電源１０は、バキュームポンプ５、血戻し用ポンプ７等の電源であり、２００Ｖ電源１１はレーザービーム発振器１２用の電源である。消費電力を考慮し、電源を２系統に分けてある。
【００１１】
図４は、患者の人体を介して血液を体外循環させる血液循環システムＡを示し、図面によれば、患者１５の片方の腕（左腕）１５ａの図示してない血管に血抜き用チューブ１６を取り付け、この血抜き用チューブ１６を伸ばしてもう片方の腕（右腕）１５ｂの血管には血戻し用チューブ１８を取り付けるものであり、血抜き用チューブ１６にはバルブ１７が取り付けられ、血戻し用チューブ１８の側には血液の血戻し用ポンプ７が取り付けられている。そして、患者の全血液は血抜き用チューブ１６を介して体外へ導出され、循環チューブ１９を介して血戻し用チューブ１８より体内へと戻される。循環チューブ１９の途中には、血液殺菌ボックス２１内に設置した光透過性の殺菌用パイプ２０が接続され、この殺菌用パイプ２０の外部よりレーザービームが照射されるようになっている。
【００１２】
レーザービーム照射手段２１は、図３に示したように、２００Ｖ電源１１、レーザービーム発振器１２、冷却装置１３、殺菌用パイプ２０、ロッドレンズ２２、反射ミラー２３から構成され、図５に示したように、ロッドレンズ２２より扇型に拡散させた例えばＹＡＧレーザービームを反射ミラー２３で反射させ、血液が流れる光透過性材質の殺菌用パイプ２０の外側より内部を流れる血液に照射するように構成されている。レーザービームを照射した後の血液は、フィルター９を介して血戻し用ポンプ７に至り患者１５の体内へ戻される。尚、この血戻し用ポンプ７は、フィルター９の前に設けることもできよう。
【００１３】
以下にこの発明に係る血液循菌装置を用いて実際にＨＩＶ、ＨＣＶ等のレトロウィルスに感染している患者を治療する場合について説明する。図面に示したように、ＨＣＶに感染している患者１５を必要に応じて全身麻酔をかけた後、低温ルーム１内のベッド３上に仰向かせて寝かし、血抜き用チューブ１６と血戻し用チューブ１８を用いて例えば患者１５の腕の動脈と静脈に接続させる。こうしておいて、フード部１ｂをかぶせて内部を密閉した後、バキュームポンプ５により低温ルーム１内のエアーを抜いていき、約１０分かけて患者１５の体温を２５℃にまで下げる。そうすると、患者１５は半眠状態となり、血流速度が平常時の約半分となるので、バルブ１７を開いて血液を血抜き用チューブ１６を介して体外へ抜き始め、血戻し用ポンプ７を用いて血戻し用チューブ１８を介してまた体内に戻して循環させるようにしてから、循環チューブ１９内を流れている血液に外部よりＹＡＧレーザービームを照射するものである。
【００１４】
このＹＡＧレーザービームの照射は循環チューブ１９に接続した血液殺菌ボックス８内のクリスタルガラス製の殺菌用パイプ２０の中を流れる血液に対し、外部よりＹＡＧレーザービームを照射させるが、ロッドレンズ２２より放射されるレーザービームをそのまま殺菌用パイプ２０に当てると血液の温度が上昇して赤血球、白血球、或は血小板といった血液の組織を破壊させてしまったり、分裂を起こしてしまうので、これを扇状に拡散させ、さらに反射ミラー２３を用いて間接的に照射させるものである。
【００１５】
このようにすると当然に殺菌効果は落ちるので、３〜４回程度全血液を循環させて照射を行う必要がある。人間の血液量はだいたい１５リットル程度であり、体温の低下により血流速度は半減しているので、全血液が循環するのに約１時間を要することから、これを３回〜４回繰り返すと所要時間が約３時間〜４時間を要することになる。
【００１６】
尚、治療に当っては、とくに血圧の低い人（１００以下を目安とする）や高い人（１５０以上を目安とする）や心疾患の患者、さらには生理中の女性については、これを除外することが望ましく、治療中には患者の体温、心拍数に充分の注意を払うことが必要である。
【００１７】
レーザービームは必ずしもＹＡＧレーザービームに限定されるものではない。ＹＡＧレーザービームについては、Ｙｂ：ＹＡＧを用いたレーザービームが望ましいが、Ｎｄ：ＹＡＧを用いたものでも良い。
【００１８】
そして、この発明に係る殺菌方法及び装置を用いてＨＩＶ、ＨＡＶ、及びＨＢＶ等のレトロウィルス、その他の血液中にひそむ雑菌の駆除も同時に行うことができるものである。
【００１９】
【発明の効果】
この発明は以上のように構成したので、次のような効果を奏し得る。
【００２０】
請求項１のように構成すると、血液の組織を破壊したり分裂させたりすることなく、ＨＩＶやＨＣＶ等のレトロウィルスを不活性（死滅）化させることによって、これらのレトロウィルスに感染した患者の治療を行うことができるものである。
【００２１】
請求項２のように構成すると、血液の流速を遅くすることができるので、より確実にレトロウィルスの不活性化を図ることができるものである。
【００２２】
請求項３と４のように構成すると、患者の全血液を体外に導出させてレーザービームが透過しやすい環境の下で、全血液にレーザービームを照射することによりレトロウィルスを不活性化させることができるものである。
【００２３】
請求項５のように構成すると、血液を構成する赤血球、白血球、或は血小板等を破壊したり、分裂を生じさせたりすることなく、安全にかつ副作用を生じさせることなく血液を殺菌することができるという効果を奏し得る。
【図面の簡単な説明】
【図１】この発明に係る血液殺菌装置の正面から見た説明図である。
【図２】同じくこの発明に係る血液殺菌装置を側面から見た説明図である。
【図３】この発明に係る血液殺菌装置のブロックダイヤグラムである。
【図４】この発明に係る血液殺菌装置における血液循環システムの説明図である。
【図５】レーザー照射手段の説明図である。
【符号の説明】
Ａ  血液循環システム
１  低温ルーム
１ｂ  フード部
３  ベッド
１２  レーザービーム発振器
１５  患者
１６  血抜き用チューブ
１８  血戻し用チューブ
１９  循環チューブ
２０  殺菌用パイプ
２２  ロッドレンズ
２３  反射ミラー


【手続補正２】
【補正対象書類名】図面
【補正対象項目名】図２
【補正方法】変更
【補正の内容】
【図２】
2003310750.tif 000001
【手続補正３】
【補正対象書類名】図面
【補正対象項目名】図３
【補正方法】変更
【補正の内容】
【図３】
2003310750.tif 000002
【手続補正４】
【補正対象書類名】図面
【補正対象項目名】図４
【補正方法】変更
【補正の内容】
【図４】
2003310750.tif 000003
【手続補正５】
【補正対象書類名】図面
【補正対象項目名】図５
【補正方法】変更
【補正の内容】
【図５】
2003310750.tif 000004